(57)【要約】【課題】高いデザイン性を維持しつつ、防水性能を有することができる携帯機器を提供する。【解決手段】本発明の携帯機器が有する筐体４は、ケース１と、平板９の裏面に第１の加飾部７および第１の加飾部７より厚さが厚い第２の加飾部８が設けられた、ケース１に取り付けられるパネル３と、を有する。そして、第１の加飾部７上に、第１の加飾部７の厚さと第２の加飾部８の厚さの差と等しい厚さを有する平坦化部６が設けられている。また、パネル３とケース１とは防水テープ５によって接続されている。【選択図】図４
2012156789.tif 000002
【特許請求の範囲】
【請求項１】
ケースと、平板の裏面に第１の加飾部および前記第１の加飾部より厚さが厚い第２の加飾部が設けられた、前記ケースに取り付けられるパネルと、を有する筐体であって、
前記第１の加飾部上に、前記第１の加飾部の厚さと前記第２の加飾部の厚さの差と等しい厚さを有する平坦化部が設けられ、
前記パネルと前記ケースとが防水テープで接続されている、筐体。
【請求項２】
請求項１に記載の筐体と、前記筐体の内部に設けられた回路基板と、を有する携帯機器。
【請求項３】
ケースと、平板の裏面に第１の加飾部および前記第１の加飾部より厚さが厚い第２の加飾部が設けられた、前記ケースに取り付けられるパネルと、を有する筐体の防水性能の向上方法であって、
前記第１の加飾部上に、前記前記第１の加飾部の厚さと前記第２の加飾部との厚さの差の厚さを有する平坦化部を形成して、前記パネルの裏面を平坦化し、
前記パネルの裏面と前記ケースとの間に防水テープを設けて前記パネルと前記ケースとの間に隙間が生じないようにする、筐体の防水性能の向上方法。
【請求項４】
メジウムをシルク印刷することで、前記平坦化部を形成する、請求項３に記載の筐体の防水性能の向上方法。
【発明の詳細な説明】
【技術分野】
【０００１】
本発明は携帯機器、特に防水性能を有する携帯機器に関する。
【背景技術】
【０００２】
携帯機器、例えば、携帯電話機は、幅広く利用されている。携帯電話機の価格が以前に比べ高くなったことに伴い、携帯電話機を購入してから買い換えるまでのサイクルが長くなっている。そのため、携帯電話機は以前に比べてさらに高い耐久性が求められている。携帯電話機の耐久性を向上させる方法の１つとして、携帯電話機に防水性能を持たせることが考えられる。携帯電話機に防水性能を持たせることで、雨や水に濡れることに起因する故障を回避することが可能となるため、携帯電話機の耐久性を向上させることができる。
【０００３】
携帯電話機に防水性能を持たせる方法が、例えば特許文献１に記載されている。回路基板などが収容されているフロントケースと、リアケース本体およびリアケース本体を覆う外装カバーで構成される、フロントケースと係合するリアケースと、からなる筐体において、フロントケースとリアケースとの間にはパッキンを設け、リアケース本体と外装カバーとの間には防水テープを設ける。このようにすることで、フロントケースとリアケースとの間と、リアケース本体と外装カバーとの間から筐体内に水が浸入することを防いでいる。
【先行技術文献】
【特許文献】
【０００４】
【特許文献１】特開２０１０−１３０５８２号公報
【発明の概要】
【発明が解決しようとする課題】
【０００５】
しかしながら、防水テープを用いて携帯機器に防水性能を持たせようとすると、以下のような問題が生じる。
【０００６】
携帯電話機などの携帯機器には、図５に示すような、時間などを表示する表示窓２１が設けられたパネル２２と、パネル２２が取り付けられるケース２０（図７参照）と、で筐体が構成されているものがある。図６に示す、図５のパネル２２のＸＸ断面の概略図から分かるように、パネル２２は、平板２６と、平板２６の裏面であり、表示窓２１となる位置に、半反射性と半透過性を有するように多層膜蒸着によって形成される第１の加飾部２３と、パネル２２の裏面の表示窓２１以外の位置に、パネル２２にデザイン性を持たせるように、紫外線硬化型インクジェット印刷により形成される第２の加飾部２４と、を有している。多層膜蒸着によって形成される第１の加飾部２３の厚さは１μｍ以下であり、紫外線硬化型インクジェット印刷によって形成される第２の加飾部２４の厚さは約４０μｍ程度である。したがって、パネル２２の裏面は平坦ではなく、第１の加飾部２３の位置に窪みが生じる。
【０００７】
図７に示すように、このようなパネル２２の裏面の外周端部とケース２０との間に防水テープ２５を設けて携帯機器に防水性能を持たせようとする場合、防水テープ２５がパネル２２の裏面に追従しきれず、第１の加飾部２３の端部の位置に隙間Ｙが生じてしまう。つまり、この隙間Ｙから筐体内に水が浸入してしまう可能性があり、携帯機器の防水性能が不十分となっている。図７を基に、より具体的に説明すると、一般的に防水テープ２５の厚さは約２５０μｍであり、パネル２２をケース２０に取り付けるために、防水テープ２５を介してパネル２２をケース２０に押圧すると、第１の加飾部２３と第２の加飾部２４の厚さの差は約４０μｍと小さいので、パネル２２が防水テープ２４に埋もれるようにして、第１の加飾部２３の端部以外の位置における第１の加飾部２３と防水テープ２５との間の隙間は埋まる。しかしながら、第１の加飾部２３の端部の位置と防水テープ２５との間には隙間Ｙが生じており、この隙間Ｙの大きさが大きいため、この隙間Ｙから筐体内に水が浸入する可能性がある。
【０００８】
したがって、パネル２２の平板２６の裏面に複数の加飾が施される場合、形成されるそれぞれの加飾部の厚さが同程度でないと、上述のように防水テープ２５と加飾部との間に隙間が生じるため、携帯機器に防水性能を持たすことができない。それぞれの加飾部の厚さを同程度にしようとすると、加飾方法が制限され、パネル２２に様々なデザインを施すことができない。
【０００９】
本発明の目的は、高いデザイン性を維持しつつ、防水性能を持たせることは困難である、という問題を解決する携帯機器を提供することである。
【課題を解決するための手段】
【００１０】
本発明の携帯機器が有する筐体は、ケースと、平板の裏面に第１の加飾部および第１の加飾部より厚さが厚い第２の加飾部が設けられた、ケースに取り付けられるパネルと、を有する。そして、第１の加飾部上に、第１の加飾部の厚さと第２の加飾部の厚さの差と等しい厚さを有する平坦化部が設けられ、パネルとケースとが防水テープで接続されている。
【発明の効果】
【００１１】
本発明によると、様々な加飾方法を用いることができるので、携帯機器のデザインに幅を持たすことができ、かつ、携帯機器に防水性能を持たすことができる。
【図面の簡単な説明】
【００１２】
【図１】本発明に係る携帯機器の一例の短手方向の断面の概略図である。
【図２】図１のパネルの上面図である。
【図３】図１および図２のＡＡ断面の概略図である。
【図４】パネルの裏面に防水テープを設けたときの様子を示す概略図である。
【図５】関連技術の一例のパネルの上面図である。
【図６】図５のＸＸ断面の概略図である。
【図７】図５のパネルの裏面に防水テープを設けたときの様子を示す概略図である。
【発明を実施するための形態】
【００１３】
以下に、添付の図面に基づき、本発明の実施の形態を説明する。なお、同一の機能を有する構成には添付図面中、同一の番号を付与し、その説明を省略することがある。
【００１４】
図１は、本発明に係る携帯機器の一例の短手方向の断面の概略図であり、図２は、図１のパネルの上面図である。
【００１５】
本発明の携帯機器は、不図示の回路基板などが収容されているケース１と、時間などが表示される表示窓２を有し、ケース１に取り付けられるパネル３と、で筐体４が構成されている。パネル３の裏面の外周端部と、ケース１とは防水テープ５によって接続されている。
【００１６】
次に、パネル３の構造について説明する。図３は、図１および図２のＡＡ断面の概略図である（パネル３の断面についてのみ示している）。パネル３は平板９を有している。そして、平板９の裏面には、加飾が施されており、パネル３の表示窓２の位置とそれ以外の位置とで施される加飾が異なっている。表示窓２の位置には、第１の加飾部７が設けられている。第１の加飾部７は、例えば、半反射性と半透過性を有しつつ、色むらなく綺麗な色を実現するために、多層膜蒸着によって形成される。一方、表示窓２以外の位置には、第２の加飾部８が設けられている。第２の加飾部８は、例えば、簡便に任意のデザインが加飾できる、紫外線硬化型インクジェット印刷によって形成される。第１の加飾部７の厚さは１μｍ以下、第２の加飾部８の厚さは約４０μｍである。
【００１７】
上述したように、パネル３の平板９の裏面に第１の加飾部７と第２の加飾部８が設けられただけの状態においては、第１の加飾部７と第２の加飾部８とでは厚さが異なるため、パネル３の裏面に段差、つまり第１の加飾部７の位置で窪みが生じている。そこで本発明では、第１の加飾部７上に平坦化部６を設ける。平坦化部６は、例えば、透明なメジウムをシルク印刷することで形成することができる。シルク印刷は、１回の印刷で約５μｍの厚さの膜が出来上がる。パネル３の裏面の第１の加飾部７の位置では、第２の加飾部８の位置に比べて約４０μｍほど窪んでいるので、第１の加飾部７上にシルク印刷を８回程度行ない、厚さが約４０μｍの平坦化部６を形成する。このようにすることで、パネル３の裏面を平坦化することができる。また、透明なメジウムのシルク印刷を平板９に施す全ての加飾が終ってから行うことで、平坦化部６が、パネル３の外観のデザインへ影響を及ぼすことがない。
【００１８】
第１の加飾部７上に平坦化部６を設けることで平坦化したパネル３の裏面に防水テープ５を設けると、防水テープ５とパネル３の裏面との間に隙間が生じなくなる（図４参照）。そのため、パネル３とケース１との間から筐体４内部に水が浸入しなくなり、筐体４の防水性能を高めることができ、その結果、携帯機器の防水性能を高めることができる。
【００１９】
また、平板９の裏面に複数の異なる方法で加飾を行なったとしても、厚さが薄い加飾部上に平坦化部６を設けることで、パネル３の裏面を平坦化することができる。そのため、平板９に様々な方法で加飾を施すことが可能となり、パネル３のデザイン性をより高めることができる。
【００２０】
上述の説明では、シルク印刷で平坦化部６を形成したが、パッド印刷、インクジェット印刷などでもよく、平坦化部６の必要な厚さなどを考慮して適宜選択すればよい。
【００２１】
なお、本発明は携帯電話機、携帯ゲーム機、デジタルカメラなど、さまざまな携帯機器に利用することができる。
【符号の説明】
【００２２】
１  ケース
２  表示窓
３  パネル
４  筐体
５  防水テープ
６  平坦化部
７  第１の加飾部
８  第２の加飾部
９  平板
【図１】
2012156789.tif 000003
【図２】
2012156789.tif 000004
【図３】
2012156789.tif 000005
【図４】
2012156789.tif 000006
【図５】
2012156789.tif 000007
【図６】
2012156789.tif 000008
【図７】
2012156789.tif 000009